(57)【特許請求の範囲】
【請求項１】
内部にファンモータを有し壁面に配設される本体枠と、この本体枠に着脱自在に設けられるルーバーベースと、このルーバーベースにリンクを介して連結されるルーバーパネルとを備え、前記ルーバーパネルを、前記リンクにより前方の上方側に移動しルーバーパネルとルーバーベースとの間に風路を形成する構成としたものであって、前記リンクを連結する連結棒に、連結棒側クリック部を設け、前記連結棒を作動させるレバーに、レバー側クリック部を設け、前記連結棒側クリック部のクリック動作の後に、前記レバー側クリック部が動作してロックする構成とした換気装置。
【請求項２】
上下のリンクを連結棒により連結させた請求項１記載の換気装置。
【請求項３】
ルーバーパネルとルーバーベースにより形成される風路の幅を略均一に形成した請求項１記載の換気装置。
【請求項４】
ルーバーベースの空気流路の４周に設けられるベース側突起部と、このベース側突起部に嵌合するようにルーバーパネル側に設けられるパネル側突起部とを設けた請求項１記載の換気装置。
【請求項５】
下方側に設けられる一対のリンク間に、下方側の風路を遮へいする遮へい板を設けた請求項１記載の換気装置。
【請求項６】
ルーバーパネルの動作方向と直交する方向に、リンクを作動させるレバーを設け動作させる構成とした請求項１記載の換気装置。
【請求項７】
リンクの軸をルーバーベースの内側に設け、前記軸の摺動部をカバーで覆う構成とした請求項１記載の換気装置。
【発明の詳細な説明】
【技術分野】
【０００１】
本発明は、壁部等に室外と連通するように設け、ルーバーパネルを作動させて新鮮な外気を室内に給気する換気装置に関する。
【背景技術】
【０００２】
従来、この種の換気装置の一例として開閉板を前後に作動させる換気扇が知られている（例えば、特許文献１参照）。
【０００３】
以下、その換気扇について図９を参照にしながら説明する。
【０００４】
図に示すように、換気扇１０１は、排気用換気扇であって軸流ファン１０２と、軸流ファン１０２を駆動するモータ１０３と、通気開口１０４が設けられ、軸流ファン１０２を囲むように配置されたケーシング１０５と、取付面に対して垂直方向に進退し通気開口１０４を開閉する開閉板１０６と、開閉板１０６を進退させる開閉機構１０７とを設け構成する。
【０００５】
また、他の例としてパネルを動かして風路を形成する換気装置が知られている（例えば、特許文献２参照）。
【０００６】
以下、その換気装置について図１０を参照しながら説明する。
【０００７】
図に示すように、内部にファンモータ１０８を有した本体１０９と、上下自在に摺動する作動子１１０と、作動子１１０を駆動する駆動手段１１１と、本体１０９に着脱自在に設けられるルーバー枠部１１２と、ルーバー枠部１１２に設けた通気口１１３を下方側を支点に開閉するパネル１１４を設けたルーバー１１５とを設け構成する。
【特許文献１】特開２００４−２７８８４８号公報（［００１４］図１、図３）
【特許文献２】特開２００４−１４４３３０号公報（［００１１］〜［００１２］図１、図２）
【発明の開示】
【発明が解決しようとする課題】
【０００８】
このような従来の換気扇では、通気開口１０４を開閉する開閉板１０６は、取り付け面に対して垂直方向に進退して通気開口１０４を開閉する排気用の換気扇であって、ケーシング１０５に対し、開閉板１０６は、前後に平行移動するものであるのでケーシング１０５の下方前面に設けられる運転表示等の視認性が悪いという課題があり、運転時における表示の視認性を良くすることが要求されている。
【０００９】
また、反面、壁面高所に取り付け、斜め下方から見上げた場合にケーシング下方の稜線が見えるため、デザイン的にノイズが生じるという課題があり、意図的に見せるのでなければ、運転時にノイズの少ないデザイン性に優れた換気扇が求められている。
【００１０】
また、換気扇を排気で使用する場合は、室内空気を吸引する気流、換気扇を給気で使用する場合は、室外空気を室内に吹き出す気流により使用者がコールドドラフトを感じやすいという課題があり、コールドドラフトを低減させる換気扇が求められている。
【００１１】
また、パネル１１４は下方に支点を設け、パネル１１４の開放時には、室内の天井部側から室内空気を給気して排気するものであるので、室内の汚染空気により天井部が汚染されるという課題があり天井部を汚れないようにすることが要求されている。
【００１２】
本発明は、このような従来の課題を解決するものであり、運転表示の視認性を良くすることができ、あるいは、運転時にデザイン的にノイズを生じず、また、天井面の汚れを低減できるとともに、コールドドラフトを低減させる換気装置を提供することを目的としている。
【課題を解決するための手段】
【００１３】
本発明の換気装置は上記目的を達成するために、内部にファンモータを有し壁面に配設される本体枠と、この本体枠に着脱自在に設けられるルーバーベースと、このルーバーベースにリンクを介して連結されるルーバーパネルとを備え、前記ルーバーパネルを、前記リンクにより前方の上方側に移動しルーバーパネルとルーバーベースとの間に風路を形成する構成としたものであって、前記リンクを連結する連結棒に、連結棒側クリック部を設け、前記連結棒を作動させるレバーに、レバー側クリック部を設け、前記連結棒側クリック部のクリック動作の後に、前記レバー側クリック部が動作してロックする構成としたものである。
【００１４】
この手段により、運転時にルーバーベースに設けた運転状態を容易に視認できつつ、連結棒側の保持力が向上するとともに、レバー側の開度を安定させる換気装置が得られる。
【００１７】
また、他の手段は、上下のリンクを連結棒により連結させた構成としたものである。
【００１８】
この手段により、リンクを作動させる動作をスムーズにでき、また、ルーバーパネル開閉時のロックを確実にできる換気装置が得られる。
【００１９】
また、他の手段は、ルーバーパネルとルーバーベースにより形成される風路の幅を略均一に形成したものである。
【００２０】
この手段により、風速を均一にして、壁の汚れやコールドドラフトを低減できる換気装置が得られる。
【００２１】
また、他の手段は、ルーバーベースの空気流路の４周に設けられるベース側突起部と、このベース側突起部に嵌合するようにルーバーパネル側に設けられるパネル側突起部とを設けたものである。
【００２２】
この手段により、シャッター閉時に気密を確保することができる換気装置が得られる。
【００２３】
また、他の手段は、下方側に設けられる一対のリンク間に、下方側の風路を遮へいする遮へい板を設けたものである。
【００２４】
この手段により、コールドドラフトを少なくすることができる換気装置が得られる。
【００２５】
また、他の手段は、ルーバーパネルの動作方向と直交する方向に、リンクを作動させるレバーを設け動作させる構成としたものである。
【００２６】
この手段により、ルーバーパネルの開時の開度を安定にすることができ、また、ルーバーパネルの閉時の気密性を向上できる換気装置が得られる。
【００２７】
また、他の手段は、リンクの軸をルーバーベースの内側に設け、前記軸の摺動部をカバーで覆う構成としたものである。
【００２８】
この手段により、結露防止および埃の浸入を防ぐことができる換気装置が得られる。
【発明の効果】
【００３１】
本発明によれば、運転時にルーバーベースに設けた運転状態を容易に視認できつつ、連結棒側の保持力が向上するとともに、レバー側の開度を安定させるという効果のある換気装置を提供できる。
【００３３】
また、リンクを作動させる動作をスムーズにでき、また、ルーバーパネル開閉時のロックを確実にできるという効果のある換気装置を提供できる。
【００３４】
また、風速を均一にして壁の汚れや、コールドドラフトを低減できるという効果のある換気装置を提供できる。
【００３５】
また、気密を確保することができるという効果のある換気装置を提供できる。
【００３６】
また、コールドドラフトを低減することができるという効果のある換気装置を提供できる。
【００３７】
また、ルーバーパネルの開時の気密性を向上できるという効果のある換気装置を提供できる。
【００３８】
また、結露防止および埃の浸入を防ぐことのできるという効果のある換気装置を提供できる。
【発明を実施するための最良の形態】
【００４０】
本発明の請求項１記載の換気装置は、内部にファンモータを有し壁面に配設される本体枠と、この本体枠に着脱自在に設けられるルーバーベースと、このルーバーベースにリンクを介して連結されるルーバーパネルとを備え、前記ルーバーパネルを、前記リンクにより前方の上方側に移動しルーバーパネルとルーバーベースとの間に風路を形成する構成としたものであって、前記リンクを連結する連結棒に、連結棒側クリック部を設け、前記連結棒を作動させるレバーに、レバー側クリック部を設け、前記連結棒側クリック部のクリック動作の後に、前記レバー側クリック部が動作してロックする構成としたものであり、運転が停止されているときにはルーバーベースの前面と合致する位置に設けられていたルーバーパネルが運転時にはリンクの作用により、ルーバーベースの前方の上方側に移動し、ルーバーパネルの下端の位置は、ルーバーベースの下端部の位置より上方に位置し、ルーバーベースの前面下方に設けられていた運転時の表示部が露出することとなり、使用者は運転状況を容易に視認することができるとともに、表示部がない場合においても、ルーバーパネルが上方に位置していることを視認することによって、運転中であることが一見してわかり、運転の表示も兼ねることができつつ、連結棒は連結棒側クリック部により連結棒側の保持力が向上し、レバーはレバー側クリック部によりレバー側の保持力が向上し、レバーを作動して連結棒を上下させたときには、連結棒側クリック部が動作して連結棒が保持されるとともに、レバーはルーバーパネルが開放したときに、レバー側クリック部が作動して、レバーが保持され、ルーバーパネルを開放した状態で安定させることができるという作用を有する。
【００４２】
また、請求項２記載の換気装置は、上下のリンクを連結棒により連結したものであり、上と下に設けたリンクを連結棒で連結し、連結棒を動かしてリンクを作動することにより、上と下のリンクを別々に作動する場合のように同時に作動させることが困難で動作がスムーズでなかったのが、上と下のリンクを連結棒で同時に作動することで動作がスムーズになるとともに、ルーバーパネルを閉鎖および開放したときにロックを確実にすることができるという作用を有する。
【００４３】
また、請求項３記載の換気装置は、ルーバーパネルとルーバーベースにより形成される風路の幅を略均一に形成したものであり、ルーバーパネルとルーバーベース間の風路が一定となることによって、換気の風速が略均一となり、天井の汚れに関係する上方への空気流および近接壁面の汚れに関係する側方への空気流が一定となるので、空気流が不安定になった場合のように天井面に多く流れて天井を汚したり、近接壁面に多く流れて壁面を汚したり、下方に給気する空気流に関係するコールドドラフト現象についても安定した給気流の流れにより、天井の汚れ、近接壁面の汚れおよびコールドドラフトを低減することができるという作用を有する。
【００４４】
また、請求項４記載の換気装置は、ルーバーベースの空気流路の４周に設けられるベース側突起部と、このベース側突起部に嵌合するようにルーバーパネル側に設けられるパネル側突起部とを設けたものであり、ベース側突起部とパネル側突起部が嵌合することにより、空気流の漏れることがなくなり気密が確保できることで、換気装置の運転停止時に室外空気が浸入するのを防止でき、冬期などに低温の空気が室内に浸入して居住者に不快感を与えることが防止できるとう作用を有する。
【００４５】
また、請求項５記載の換気装置は、下方側に設けられる一対のリンク間に、下方側の風路を遮へいする遮へい板を設けたものであり、下方側の風路を遮へい板で遮へいすることによって給気流が下方側に放散されるのが制限され外気温が低温時に給気流が下方側に流れることにより発生するコールドドラフト感を少なくすることができるという作用を有する。
【００４６】
また、請求項６記載の換気装置は、ルーバーパネルの動作方向と直交する方向に、リンクを作動させるレバーを設け横動させる構成としたものであり、ルーバーパネルの開閉時の動作方向が上下方向となる垂直方向であるのに対しレバーを作動させる方向は、水平方向であるので、ルーバーパネルの開放時にルーバーパネルの重量によりリンクや連結棒に加重が加わっても、レバーは左右方向に摺動するものであるので、ルーバーパネルは開放した位置で確実に保持され安定するとともに、ルーバーパネルの閉時においては、ルーバーパネルはルーバーベース側に密着した状態で保持され気密性が保たれるという作用を有する。
【００４７】
また、請求項７記載の換気装置は、リンクの軸をルーバーベースの内側に設け、前記軸の摺動部をカバーで覆う構成としたものであり、軸の摺動部がカバーで覆われることにより、給気する外気が低温であっても軸の摺動部が結露し、作動性が悪くなるのを防止できるとともに、埃の浸入も防止され、リンクをスムーズに作動させることが維持できることとなる。
【００４９】
以下、本発明の実施の形態について図面を参照しながら説明する。
【００５０】
（実施の形態１）
図１〜図６に示すように、壁部１に埋設した室内と室外を連通するパイプ２に装着される形状の筒状部３と、この筒状部３の室内側を外方に近設し、筒状部３内部にはファンモータ４を有し、壁面５に配設される本体枠６と、この本体枠６に着脱自在に設けられる形状で中央に略方形の空気流路７を形成したルーバーベース８と、ルーバーベース８にリンク９を介して連結されるルーバーパネル１０とを備え、ルーバーパネル１０をリンク９により前方の上方側に移動し、ルーバーパネル１０とルーバーベース８との間に略均一に形成される風路１１を形成するように設ける。また、ルーバーベース８の下方側正面に表示部２３を設ける。
【００５１】
また、リンク９は略くの字状で、リンク９を可動自在に支持するようにルーバーベース８の左右の上下位置に軸１２により支持し、リンク９の一端は上下のリンク９を連結する連結棒１３に係合し、他端はルーバーパネル１０に係合し、リンク９を可動自在に支持する軸１２の摺動部１４をカバー１５で覆い、下方側に設けられるリンク９間には、下方側の風路１１を遮へいする遮へい板１６を設け、ルーバーパネル１０の上下の動作方向と直交する方向に、リンク９を連結棒１３を介して作動させるレバー１７を横動自在に設ける。
【００５２】
また、ルーバーベース８に設けられた空気流路７の４周には、ルーバーパネル１０側に向かい突出するベース側突起部１８と、ベース側突起部１８の外方側に嵌合するようにルーバーパネル１０側にパネル側突起部１９を設け、連結棒１３には連結棒側クリック部２０を設け、レバー１７にはレバー側クリック部２１を設け、レバー１７が横動することにより連結棒１３を下降させる作動部２２を設け、連結棒側クリック部２０のクリック動作後にレバー側クリック２１が動作してロックするように構成する。
【００５３】
上記構成において、換気装置を運転するときには、レバー１７を横動させることにより、作動部２２が作動して連結棒１３が下方に移動すると、ルーバーベース８に軸１２を介して可動自在に設けられたリンク９が作動し、リンク９の先端側が上方に移動することにより、連結されているルーバーパネル１０が前方側の上方に移動し、ファンモータ４により室外空気が空気流路７を通りルーバーベース８とルーバーパネル１０間に形成される風路１１を通って室内に給気されることとなる。
【００５４】
このように実施の形態１の発明では、内部にファンモータ４を有し壁面５に配設される本体枠６と、本体枠６に着脱自在に設けられるルーバーベース８とルーバーベース８にリンク９を介して連結されるルーバーパネル１０とを備え、ルーバーパネル１０を、リンク９により前方の上方側に移動し、ルーバーパネル１０とルーバーベース８との間に風路１１を形成する構成としたので、運転が停止されているときには、ルーバーベース８の前面と合致する位置に設けられていたルーバーパネル１０が運転時にはリンク９の作用によりルーバーベース８の前方の上方側に移動し、ルーバーパネル１０の下端の位置は、ルーバーベース８の下端部の位置より上方に位置し、ルーバーベース８の前面下方に設けられた運転時の表示部２３が露出することとなり、使用者は運転状況を容易に視認することができるとともに、表示部２３がない場合においてもルーバーパネル１０が上方に位置していることを視認することによって運転中であることが一見してわかり、運転の表示も兼ねることができることとなる。
【００５５】
また、上下のリンク９を連結棒１３により連結したので、上と下に設けたリンク９を連結棒１３で連結し連結棒１３を動かしてリンク９を作動することにより、上と下のリンク９を別々に作動する場合のように同時に作動させることが困難で動作がスムーズでなかったのが、上と下のリンク９を連結棒１３で同時に作動することで動作がスムーズになるとともに、ルーバーパネル１０を閉鎖および開放したときにロックを確実にすることができることとなる。
【００５６】
また、ルーバーパネル１０とルーバーベース８により形成される風路１１の幅を略均一に形成したので、ルーバーパネル１０とルーバーベース８間の風路１１が一定になることによって換気の風速が略均一となり、天井の汚れに関係する上方への空気流および近接壁面の汚れに関係する側方への空気流が一定となるので、空気流が不安定になった場合のように天井面に多く流れて天井を汚したり、近接壁面に多く流れて壁面を汚したり、また、下方に給気する空気流に関係するコールドドラフト現象についても安定した給気流の流れにより、天井の汚れ、近接壁面の汚れおよびコールドドラフトを低減することができることとなる。
【００５７】
また、ルーバーベース８の空気流路の４周に設けられるベース側突起部１８と、ベース側突起部１８に嵌合するようにルーバーパネル１０側に設けられるパネル側突起部１９とを設けたものであり、ベース側突起部１８とパネル側突起部１９が嵌合することにより、空気流の漏れることがなくなり気密が確保できることで、換気装置の運転停止時に室外空気が浸入するのが防止でき、冬期などに低温の空気が室内に浸入して居住者に不快を与えることが防止できることとなる。
【００５８】
また、下方側に設けられる一対のリンク間に下方側の風路１１を遮へいする遮へい板１６を設けたので下方側の風路１１を遮へい板１６で遮へいすることによって給気流が下方側に放散されるのが制限され、外気温が低温時に給気流が下方側に流れることにより発生するコールドドラフト感を少なくすることができることとなる。
【００５９】
また、ルーバーパネル１０の動作方向（Ａ）と直交する方向にリンク９を作動させるレバー１７を設け横動させるレバー１７の動作方向（Ｂ）としたものであり、ルーバーパネル１０の開閉時の動作方向が上下方向となる垂直方向であるのに対し、レバー１７を作動させる方向は、水平方向であるので、ルーバーパネル１０の開放時に、ルーバーパネル１０の重量によりリンク９や連結棒１３に加重が加わっても、ルーバーパネル１０は開放した位置で確実に保持され安定するとともに、ルーバーパネル１０の閉時においては、ルーバーパネル１０は、ルーバーベース８側に密着した状態で保持され気密性が保たれることとなる。
【００６０】
また、リンク９の軸１２をルーバーベース８の内側に設け、軸１２の摺動部１４をカバー１５で覆う構成としたので、軸１２の摺動部１４がカバー１５で覆われることにより、給気する外気が低温であっても、軸１２の摺動部１４が結露し作動性が悪くなるのを防止できるとともに、埃の浸入を防止され、リンク９をスムーズに作動させることが維持できることとなる。
【００６１】
また、リンク９を連結する連結棒１３に、連結棒側クリック部２０を設け、連結棒１３を作動させるレバー１７に、レバー側クリック部２１を設け、連結棒側クリック部２０のクリックの動作の後に、レバー側クリック部２１が動作してロックする構成としたので、連結棒１３は連結棒側クリック部２０により連結棒１３側の保持力が向上し、レバー１７はレバー側クリック部２１によりレバー１７側の保持力が向上し、レバー１７を作動して連結棒１３を上下させたときには、連結棒側クリック部２０が動作して連結棒１３が保持されるとともに、レバー１７はルーバーパネル１０が開放したときに、レバー側クリック部２１が作動してレバー１７が保持され、ルーバーパネル１０を開放した状態で安定させることができることとなる。
【００６２】
（実施の形態２）
図７および図８に示すように、内部にファンモータ４Ａを有し壁面５Ａに配置される本体枠６Ａと、本体枠６Ａに着脱自在に設けられるルーバーベース８Ａと、ルーバーベース８Ａにリンク９Ａを介して連結されるルーバーパネル１０Ａとを備え、ルーバーパネル１０Ａをリンク９Ａにより前方の下方側に移動し、ルーバーパネル１０Ａとの間に風路１１Ａを形成する構成とする。
【００６３】
上記構成においては、運転が停止されているときには、ルーバーベース８Ａの前面と合致する位置に設けられていたルーバーパネル１０Ａが、運転時にはリンク９Ａの作用によりルーバーベース８Ａの前方の下方側に移動し、ルーバーパネル１０Ａの下端の位置は、ルーバーベース８Ａの下端部の位置より下方に位置することにより、外気温度が低温のときに給気される空気温度が低温であっても給気流は壁面５Ａ側に流れることにより、居住者にコールドドラフト感を与えることが避けられるとともに、上流側においてはルーバーパネル１０Ａの上端部はルーバーベース８Ａの上端部より下方に位置することにより、上部側の給気流は、上部側より、前方側に向かう給気流が多くなり天井面に給気流が接触する度合が少なくなり天井面を汚染することが緩和されることとなる。
【００６４】
なお、実施の形態は給気形換気装置として説明したが、排気形換気装置においても同様の効果を有する。
【産業上の利用可能性】
【００６５】
空気調和機から送られる空気流が温風のときには、下方側に多く吹き出し、空気流が冷風のときには上方側に多く吹き出すことのできる空気調和機の吹出口の用途にも適用できる。また、ファンモータを有しない自然給気口にも適用できる。
【図面の簡単な説明】
【００６６】
【図１】本発明の実施の形態１の換気装置の作動時の状態を示す側面図
【図２】同換気装置の作動時の状態を示す斜視図
【図３】同換気装置の設置状態を示す断面図
【図４】同換気装置のルーバーベースの背面図
【図５】同換気装置のルーバーベースとルーバーパネルの関係を示す断面図
【図６】同換気装置のルーバーパネルとレバーの動行の関係を示す斜視図
【図７】本発明の実施の形態２の換気装置の設置状態を示す断面図
【図８】同換気装置の作動時の状態を示す側面図
【図９】従来の換気装置の設置状態を示す断面図
【図１０】同換気装置の別形態での設置状態を示す断面図
【符号の説明】
【００６７】
４      ファンモータ
４Ａ    ファンモータ
５      壁面
５Ａ    壁面
６      本体枠
６Ａ    本体枠
８      ルーバーベース
８Ａ    ルーバーベース
９      リンク
９Ａ    リンク
１０    ルーバーパネル
１０Ａ  ルーバーパネル
１１    風路
１１Ａ  風路
１２    軸
１３    連結棒
１４    摺動部
１５    カバー
１６    遮へい板
１７    レバー
１８    ベース側突起部
１９    パネル側突起部
２０    連結棒側クリック部
２１    レバー側クリック部
【図１】
0004696968.tif 000002
【図２】
0004696968.tif 000003
【図３】
0004696968.tif 000004
【図４】
0004696968.tif 000005
【図５】
0004696968.tif 000006
【図６】
0004696968.tif 000007
【図７】
0004696968.tif 000008
【図８】
0004696968.tif 000009
【図９】
0004696968.tif 000010
【図１０】
0004696968.tif 000011